(57)【要約】【課題】ヘッドホンやイヤホンが接続された場合に、周囲への光の影響を低減する映像音声出力装置を提供することである。【解決手段】テレビジョン受像機（映像音声出力装置）２０は、映像出力部２４と、フォーン端子２８と、音声出力部２５と、制御部３３と、を備えた構成とする。映像出力部２４は表示部２６に表示される映像を出力する。フォーン端子２８には、音声出力先の機器が接続され得る。音声出力部２５は、音声出力先の機器へフォーン端子２８を介して又はスピーカー２７へ音声を出力する。制御部３３は、音声出力先の機器がフォーン端子２８に接続された場合、音声出力先の機器がフォーン端子２８に接続されていない場合よりも表示部２６の出画範囲７１を縮小するように制御する。【選択図】図１
2014160946.tif 000002
【特許請求の範囲】
【請求項１】
表示部に表示される映像を出力する映像出力部と、
音声出力先の機器が接続され得る接続部と、
前記音声出力先の機器へ前記接続部を介して又はスピーカーへ音声を出力する音声出力部と、
前記音声出力先の機器が前記接続部に接続された場合、前記音声出力先の機器が前記接続部に接続されていない場合よりも前記表示部の出画範囲を縮小するように制御する制御部と、を備えた映像音声出力装置。
【請求項２】
前記出画範囲の制御履歴に基づいて前記出画範囲を縮小することを特徴とする請求項１に記載の映像音声出力装置。
【請求項３】
前記出画範囲を縮小する場合、前記表示部における出画位置を予め設定された位置にすることを特徴とする請求項１又は２に記載の映像音声出力装置。
【請求項４】
前記制御部は、前記音声出力先の機器が前記接続部に接続された場合、前記音声出力先の機器が前記接続部に接続されていない場合よりも前記表示部の輝度を低くするように制御することを特徴とする請求項１〜３の何れかに記載の映像音声出力装置。
【請求項５】
周囲の明るさを検出する照度センサーを備え、
前記輝度を低くする場合、前記照度センサーの検出値に基づいて輝度を決定することを特徴とする請求項４に記載の映像音声出力装置。
【請求項６】
前記輝度の制御履歴に基づいて、前記輝度を低くすることを特徴とする請求項４に記載の映像音声出力装置。
【請求項７】
前記輝度を低くする場合、現在時刻に基づいて輝度を決定することを特徴とする請求項４に記載の映像音声出力装置。
【請求項８】
前記輝度を低くする場合、段階的に低くする、又は直截的に低くすることを特徴とする請求項４に記載の映像音声出力装置。
【請求項９】
前記制御部は、前記音声出力先の機器が前記接続部に接続された場合、前記音声出力先の機器へ出力する音量を調整するように制御することを特徴とする請求項１〜８の何れかに記載の映像音声出力装置。
【請求項１０】
前記制御部は、前記音声出力先の機器が前記接続部から外れ、再度接続されることなく所定時間経過した場合、前記音声出力先の機器が前記接続部に接続されていない状態に戻すように制御することを特徴とする請求項１〜９の何れかに記載の映像音声出力装置。
【請求項１１】
記録媒体に記録された映像及び音声を再生する再生部を備え、
前記制御部は、再生中に前記音声出力先の機器が前記接続部から外れた場合、再生を停止するように制御することを特徴とする請求項１〜１０の何れかに記載の映像音声出力装置。
【請求項１２】
前記制御部は、前記再生を停止した後、設定時間内に再度前記音声出力先の機器が前記接続部に接続された場合、前記再生を停止した位置から再生を再開するように制御することを特徴とする請求項１１に記載の映像音声出力装置。
【請求項１３】
前記音声出力先の機器が耳への装着状態を検出する装着検出センサーを備えている場合、
前記制御部は、前記装着検出センサーが耳から外れたことを検出し、再度耳へ装着されたことを検出することなく所定時間経過した場合、前記音声出力先の機器が前記接続部に接続されていない状態に戻すように制御することを特徴とする請求項１〜９の何れかに記載の映像音声出力装置。
【請求項１４】
記録媒体に記録された映像及び音声を再生する再生部を備え、
前記制御部は、前記装着検出センサーが耳から外れたことを検出した場合、再生を停止するように制御することを特徴とする請求項１３に記載の映像音声出力装置。
【請求項１５】
前記制御部は、前記再生を停止した後、設定時間内に再度前記装着検出センサーが耳へ装着されたことを検出した場合、前記再生を停止した位置から再生を再開するように制御することを特徴とする請求項１４に記載の映像音声出力装置。
【発明の詳細な説明】
【技術分野】
【０００１】
本発明は、映像音声出力装置に関する。
【背景技術】
【０００２】
従来から、テレビジョン受像機、光ディスク装置、ハードディスクレコーダー、コンピューターのディスプレイなどの映像音声出力装置にはフォーンジャックが備えられているものがある。通常、このフォーンジャックにヘッドホンやイヤホンのフォーンプラグを接続すると、ヘッドホンやイヤホンから音声が出力されるとともに、利便性を考慮してスピーカーからの音声がミュートされるようになっている。
【０００３】
このような映像音声出力装置に外部からプラグが挿入された場合の制御について、他にも利便性を考慮した技術が種々提案されている。例えば、特許文献１では、モバイルオーディオ入力端子へのプラグの挿入が検知されると、オーディオ入力端子と音声信号出力手段とを接続したり、映像信号の視聴のための処理を中止したりする。
【先行技術文献】
【特許文献】
【０００４】
【特許文献１】特開２００７−８９１４６号公報
【発明の概要】
【発明が解決しようとする課題】
【０００５】
ところで、ユーザーがヘッドホンやイヤホンを使用する目的は、一般的に、周囲の迷惑にならないようにすることである。この場合、スピーカーからの音声がミュートされることで音の影響は防ぐことができる。しかし、大画面のテレビジョン受像機などでは周囲への光の影響も大きい。
【０００６】
また、ヘッドホンやイヤホンを使用する場合、配線が短いなどの理由で視聴距離が通常よりも短くなることが多い。この場合、視野に対して画面が大きすぎて見づらくなることがある。
【０００７】
本発明は、ヘッドホンやイヤホンが接続された場合に、周囲への光の影響を低減する映像音声出力装置を提供することを目的とする。
【課題を解決するための手段】
【０００８】
上記目的を達成するために、本発明の一の局面による音声出力装置は、表示部に表示される映像を出力する映像出力部と、音声出力先の機器が接続され得る接続部と、音声出力先の機器へ接続部を介して又はスピーカーへ音声を出力する音声出力部と、音声出力先の機器が接続部に接続された場合、音声出力先の機器が接続部に接続されていない場合よりも表示部の出画範囲を縮小するように制御する制御部と、を備える。
【０００９】
この構成によれば、音声出力先の機器が接続部に接続された場合、表示部の出画範囲を縮小することにより、画面に何も表示されていない部分（黒色部分）が生じるので、出画による光の出力が低減される。したがって、周囲への光の影響を低減することができる。これは、寝室などで視聴する場合に周囲の睡眠中の人が眩しくないようにするのに有効である。また、音声出力先の機器が使用される状況では配線が短いなどの理由で視聴距離が通常よりも短くなることが多いため、その場合、表示部の出画範囲を縮小することで視野に対して画面が大きすぎる状態を解消することができる。
【００１０】
上記の映像音声出力装置において、例えば、出画範囲の制御履歴に基づいて出画範囲を縮小してもよい。こうすれば、適切な出画範囲を決定することができる。
【００１１】
また、上記の映像音声出力装置において、出画範囲を縮小する場合、例えば、表示部における出画位置を予め設定された位置にしてもよい。こうすれば、適切な位置に出画することができる。
【００１２】
また、上記の映像音声出力装置において、制御部は、音声出力先の機器が接続部に接続された場合、音声出力先の機器が接続部に接続されていない場合よりも表示部の輝度を低くするように制御してもよい。
【００１３】
この構成によれば、表示部の輝度を低下させることにより、周囲への光の影響をさらに低減することができる。
【００１４】
また、上記の映像音声出力装置において、周囲の明るさを検出する照度センサーを備え、輝度を低くする場合、照度センサーの検出値に基づいて輝度を決定してもよい。
【００１５】
この構成によれば、例えば、昼間や室内照明が点灯していて周囲が明るい場合は輝度を低くしすぎると見づらくなるため、輝度を少し低下させることができる。また、夜間に室内照明が消灯していて周囲が暗い場合は輝度を低くしても視聴可能であるため、輝度を大きく低下させることができる。
【００１６】
また、上記の映像音声出力装置において、輝度の制御履歴に基づいて、輝度を低くしてもよい。こうすれば、適切な輝度を決定することができる。
【００１７】
また、上記の映像音声出力装置において、輝度を低くする場合、現在時刻に基づいて輝度を決定してもよい。
【００１８】
この構成によれば、例えば、昼間は周囲が明るく輝度を低くしすぎると見づらくなるため、輝度を少し低下させることができる。また、夜間は周囲が暗く輝度を低くしても視聴可能であるため、輝度を大きく低下させることができる。
【００１９】
また、上記の映像音声出力装置において、輝度を低くする場合、段階的に低くする、又は直截的に低くしてもよい。こうすれば、設計者又はユーザーの好みに合わせることができる。
【００２０】
また、上記の映像音声出力装置において、制御部は、音声出力先の機器が接続部に接続された場合、音声出力先の機器へ出力する音量を調整するように制御してもよい。
【００２１】
この構成によれば、自動で音声出力先の機器へ出力する音量を調整されるので、ユーザーは手動で音量調整する必要がなく、快適に音声出力先の機器を使用することができる。
【００２２】
また、上記の映像音声出力装置において、制御部は、音声出力先の機器が接続部から外れ、再度接続されることなく所定時間経過した場合、音声出力先の機器が接続部に接続されていない状態に戻すように制御してもよい。
【００２３】
この構成によれば、音声出力先の機器が接続部から外れた場合、直ぐに音声出力先の機器が接続されていない状態に戻すことなく現状の映像音声出力状態を維持する。これにより、ユーザーが意図せずに音声出力先の機器が外れた場合に再度接続するまでに接続されていない状態に戻ってしまうことを防止できる。そのため、ユーザーは意図せずに音声出力先の機器が外れた場合でも速やかに音声出力先の機器を接続することにより、周囲へ迷惑をかけることがない。
【００２４】
また、上記の映像音声出力装置において、記録媒体に記録された映像及び音声を再生する再生部を備え、制御部は、再生中に音声出力先の機器が接続部から外れた場合、再生を停止するように制御してもよい。
【００２５】
この構成によれば、音声出力先の機器が接続部から外れた場合に再生を停止することにより、ユーザーが意図せずに音声出力先の機器が外れた場合に、ユーザーは手動で再生を停止させる必要がない。
【００２６】
また、上記の映像音声出力装置において、制御部は、再生を停止した後、設定時間内に再度音声出力先の機器が接続部に接続された場合、再生を停止した位置から再生を再開するように制御してもよい。
【００２７】
この構成によれば、ユーザーは意図せずに音声出力先の機器が外れた場合でも速やかに音声出力先の機器を接続することにより停止した位置から再生が再開されるので、速やかに続きから視聴でき使い勝手が良い。
【００２８】
また、上記の映像音声出力装置において、音声出力先の機器が耳への装着状態を検出する装着検出センサーを備えている場合、制御部は、装着検出センサーが耳から外れたことを検出し、再度耳へ装着されたことを検出することなく所定時間経過した場合、音声出力先の機器が接続部に接続されていない状態に戻すように制御してもよい。
【００２９】
さらに、上記の映像音声出力装置において、記録媒体に記録された映像及び音声を再生する再生部を備え、制御部は、装着検出センサーが耳から外れたことを検出した場合、再生を停止するように制御してもよい。
【００３０】
このような装着検出センサーを用いる構成は、音声出力先の機器が無線接続される場合に特に有効である。
【００３１】
また、上記の映像音声出力装置において、制御部は、再生を停止した後、設定時間内に再度装着検出センサーが耳へ装着されたことを検出した場合、再生を停止した位置から再生を再開するように制御してもよい。
【００３２】
この構成によれば、ユーザーは意図せずに音声出力先の機器が耳から外れた場合でも速やかに音声出力先の機器を耳へ装着することにより停止した位置から再生が再開されるので、速やかに続きから視聴でき使い勝手が良い。
【発明の効果】
【００３３】
本発明によると、音声出力先の機器が接続部に接続された場合、表示部の出画範囲を縮小することにより、画面に何も表示されていない部分（黒色部分）が生じるので、出画による光の出力が低減される。したがって、周囲への光の影響を低減することができる。これは、寝室などで視聴する場合に周囲の睡眠中の人が眩しくないようにするのに有効である。また、音声出力先の機器が使用される状況では配線が短いなどの理由で視聴距離が通常よりも短くなることが多いため、その場合、表示部の出画範囲を縮小することで視野に対して画面が大きすぎる状態を解消することができる。
【図面の簡単な説明】
【００３４】
【図１】本発明の一実施形態のテレビジョン受像機の構成を説明するブロック図である。
【図２】本発明の一実施形態のＨＤＤ一体型光ディスク装置の構成を説明する図である。
【図３】本発明の一実施形態のテレビジョン受像機の動作を示すフローチャートである。
【図４】本発明の一実施形態の画面における出画範囲を示す図である。
【図５】本発明の一実施形態のテレビジョン受像機の動作を示すフローチャートである。
【図６】本発明の一実施形態のＨＤＤ一体型光ディスク装置の動作を示すフローチャートである。
【発明を実施するための形態】
【００３５】
以下に本発明の実施形態を図面を参照して説明する。なお、各実施形態は可能な範囲で組み合わせて実施することもできる。
【００３６】
以下では、映像音声出力装置の一例であるテレビジョン受像機２０と映像音声出力装置の一例であるハードディスクドライブ（ＨＤＤ）一体型光ディスク装置４０とが接続されてなるテレビジョンシステム１０を例に説明する。
【００３７】
図１は、本実施形態のテレビジョンシステム１０におけるテレビジョン受像機２０の構成を詳しく説明するブロック図であり、図２は、本実施形態のテレビジョンシステム１０におけるＨＤＤ一体型光ディスク装置４０の構成を詳しく説明する図である。
【００３８】
テレビジョンシステム１０は、テレビジョン受像機２０と、ＨＤＤ一体型光ディスク装置４０と、アンテナ６０、６１とを含んでいる。テレビジョン受像機２０はデジタル放送を受信可能である。ＨＤＤ一体型光ディスク装置４０はテレビジョン受像機２０に接続された外部機器であり、デジタル放送を受信可能である。アンテナ６０、６１はテレビジョン受像機２０とＨＤＤ一体型光ディスク装置４０とにそれぞれ接続されている。
【００３９】
テレビジョン受像機２０とＨＤＤ一体型光ディスク装置４０との接続は、映像信号及び音声信号を一方向又は双方向に、制御信号を双方向に伝送できるインターフェースであればよい。ここではＨＤＭＩ（High-Definition Multimedia Interface）端子を用いるものとする。また、テレビジョン受像機２０とＨＤＤ一体型光ディスク装置４０とは、それぞれのリモコン３５、５５によって操作可能である。
【００４０】
図１を参照してテレビジョン受像機２０の構成を説明する。テレビジョン受像機２０は、チューナ２１と、データ処理部２２と、ＯＳＤ（On Screen Display）部２３と、映像出力部２４と、音声出力部２５と、表示部２６と、スピーカー２７と、フォーン端子（接続部）２８と、メモリ２９と、リモコン受信部３０と、操作部３１と、外部Ｉ／Ｆ３２と、制御部３３とを備えている。
【００４１】
チューナ２１は、アンテナ６０で受信したデジタルテレビ放送信号を復調、デジタル化する。データ処理部２２は、チューナ２１やＨＤＤ一体型光ディスク装置４０から受け取った映像音声データや制御データを分離したり、逆に出力する映像音声データや制御データを結合したり、映像データを復号化したりすることで、入出力データを処理する。
【００４２】
ＯＳＤ部２３は、各種設定値を表示部２６の一部に表示しながら設定できるようにする。映像出力部２４は、ＯＳＤ部２３からの映像データをアナログ化し、表示部２６へ出力する。音声出力部２５は、データ処理部２２からの音声データをアナログ化し、スピーカー２７又はフォーン端子２８へ出力する。表示部２６は、液晶パネル等からなる画面に映像を出画する装置である。
【００４３】
スピーカー２７は、表示部２６と同じ筐体に組み込まれており、音声出力部２５から受け取った音声を放音する。フォーン端子２８は、音声出力先の機器（ヘッドホン、イヤホンなど）が接続される端子である。通常、音声出力先の機器側のフォーン端子がフォーンプラグと呼ばれるオス端子であり、テレビジョン受像機２０側のフォーン端子２８がフォーンジャックと呼ばれるメス端子である。なお、フォーン端子２８に代えて無線通信可能な無線接続部としてもよい。
【００４４】
メモリ２９は、ＲＯＭやＲＡＭからなり、各種プログラムや各種データ等を記憶する。リモコン受信部３０は、赤外線受光部等からなり、リモコン３５からの信号を受信する。操作部３１は、電源キーや選局キーなどの各種操作キーを有する。
【００４５】
外部Ｉ／Ｆ３２は、ＨＤＤ一体型光ディスク装置４０が接続される外部入出力端子等からなる。制御部３３は、マイクロプロセッサ等からなり、テレビジョン受像機２０の各部を制御する。
【００４６】
次に図２を参照してＨＤＤ一体型光ディスク装置４０の構成を説明する。ＨＤＤ一体型光ディスク装置４０は、チューナ４１と、データ処理部４２と、ＨＤＤ記録再生部４３と、ＢＤ／ＤＶＤ記録再生部４４と、ＯＳＤ部４５と、音声出力部４６と、フォーン端子４７と、メモリ４８と、リモコン受信部４９と、操作部５０と、外部Ｉ／Ｆ５１と、制御部５２とを備えている。
【００４７】
チューナ４１は、アンテナ６１で受信したデジタルテレビ放送信号を復調、デジタル化する。データ処理部４２は、チューナ４１やテレビジョン受像機２０から受け取った映像音声データや制御データを分離したり、逆に出力する映像音声データや制御データを結合したり、映像データを復号化したりする。さらに、データ処理部４２は、映像音声データをＭＰＥＧ２等に準拠して圧縮符号化したり、ＨＤＤ記録再生部又はＢＤ（Blu-ray Disc）／ＤＶＤ記録再生部で再生された圧縮された映像データを伸長復号したりする。データ処理部４２は、これらの処理を行うことで、入出力データを処理する。
【００４８】
ＨＤＤ記録再生部４３は、データ処理部４２から受け取った圧縮された映像音声データをＨＤＤに記録したり、ＨＤＤに記録されたデータを再生したりする。ＢＤ／ＤＶＤ記録再生部４４は、データ処理部４２から受け取った圧縮された映像音声データを挿入されたＢＤ又はＤＶＤに記録したり、ＢＤ又はＤＶＤに記録されたデータを再生したりする。
【００４９】
ＯＳＤ部４５は、各種設定値をテレビジョン受像機２０の表示部２６の一部に表示しながら設定できるようにする。音声出力部４６は、データ処理部４２からの音声データをアナログ化し、フォーン端子４７へ出力する。フォーン端子４７は、音声出力先の機器（ヘッドホン、イヤホンなど）が接続される端子である。通常、音声出力先の機器側のフォーン端子がフォーンプラグと呼ばれるオス端子であり、ＨＤＤ一体型光ディスク装置４０側のフォーン端子４７がフォーンジャックと呼ばれるメス端子である。
【００５０】
メモリ４８は、ＲＯＭやＲＡＭからなり、各種プログラムや各種データ等を記憶する。
リモコン受信部４９は、赤外線受光部等からなり、リモコン５５からの信号を受信する。操作部５０は、電源キーや選局キーなどの各種操作キーを有する。
【００５１】
外部Ｉ／Ｆ５１は、テレビジョン受像機２０が接続される外部入出力端子等からなる。制御部５２は、マイクロプロセッサ等からなり、ＨＤＤ一体型光ディスク装置４０の各部を制御する。
【００５２】
次に、音声出力先の機器が使用される際のテレビジョンシステム１０の動作について説明する。以下では音声出力先の機器としてヘッドホンを用い、ヘッドホンがテレビジョン受像機２０のフォーン端子２８に接続される場合を例に説明する。
【００５３】
図３は、テレビジョン受像機２０の動作を示すフローチャートである。また、図４は、テレビジョン受像機２０の画面における出画範囲７１を示す図である。例えばアンテナ６０で受信したデジタルテレビ放送を表示部２６及びスピーカー２７に出力している状態において、フォーン端子２８にヘッドホンが接続されると、ステップＳ１０において制御部３３はフォーン端子２８へ接続されたことを検知する。
【００５４】
ステップＳ１０からはステップＳ１１へ進んで、制御部３３はヘッドホンがフォーン端子２８に接続されていない場合（たとえば、接続される直前の状態）よりも表示部２６の出画範囲７１を縮小するように制御する。図４に示すように、出画範囲７１とは、画面（画素が配設された部分）７０における実際に映像（コンテンツ）を表示している部分、つまり映像の大きさのことであり、表示可能であるが何も表示していない部分（黒色部分）７２を除いた部分を指す。よって、出画範囲７１を縮小するとは、図４に示すように、実際の映像の大きさを小さくするということである。
【００５５】
出画範囲７１の制御は、出画範囲７１の制御履歴に基づいて行われる。例えば、出画範囲７１を縮小する場合、前回の縮小した出画範囲７１と同じにしてもよいし、過去の縮小した出画範囲７１の平均値としてもよいし、或いは、予め設定された出画範囲７１としてもよい。前回の縮小した出画範囲７１は、最後に出画範囲７１を縮小したときの出画範囲７１をメモリ２９に記憶しておくことで利用できる。過去の縮小した出画範囲７１の平均値は、例えば直近３回の出画範囲７１を縮小したときの値をそれぞれメモリ２９に記憶しておき、それらの出画範囲７１の縦横の長さや面積などの平均値を利用できる。予め設定された出画範囲７１は、予めメニュー画面等からユーザーが設定した出画範囲７１であり、最大の出画範囲７１に対する縮小率（８０％、５０％、３０％等）などを選択することで指定された大きさである。
【００５６】
また、出画範囲７１を縮小する場合、表示部２６における出画位置を予め設定された位置にしてもよい。例えば、メニュー画面等からユーザーが設定できるようにしてもよいし、製造時に指定しておいてもよい。出画位置としては、画面の中央、上端中央、下端中央、右端中央、左端中央、右上、左上、右下、左下などとすることができる。また、出画位置は出画範囲７１を縮小した状態においてリモコン３５の矢印キーなどで所望の位置に移動できるようにしてもよい。
【００５７】
ステップＳ１１からはステップＳ１２へ進んで、制御部３３は、ヘッドホンがフォーン端子２８に接続されていない場合（たとえば、接続される直前の状態）よりも表示部２６の輝度を低くするように制御する。この制御は、表示部２６の輝度の制御履歴に基づいて行われる。
【００５８】
例えば、表示部２６の輝度を低くする場合、前回の低くした輝度と同じにすることができる。前回の低くした輝度は、最後に出画範囲７１を縮小したときの輝度をメモリ２９に記憶しておくことで利用できる。
【００５９】
また、表示部２６の輝度を低くする場合、例えば、過去の低くした輝度の平均値としてもよい。過去の低くした輝度の平均値は、例えば直近３回の出画範囲７１を縮小したときの値をそれぞれメモリ２９に記憶しておき、それらの輝度の平均値を利用できる。
【００６０】
また、表示部２６の輝度を低くする場合、例えば、予め設定された輝度としてもよい。予め設定された輝度は、予めメニュー画面等からユーザーが設定した値であり、出画範囲７１を縮小しない場合（たとえば、出画範囲７１を縮小する直前の状態）の輝度に対する割合（８０％、５０％、３０％等）などを選択することで指定された値である。
【００６１】
また、表示部２６の輝度を低くする場合、例えば、現在時刻に基づいて輝度を決定してもよい。例えば、昼間は周囲が明るく輝度を低くしすぎると見づらくなるため、輝度を少し低下させる（例えば現状から１０％低下させる）ようにする。一方、夜間は周囲が暗く輝度を低くしても視聴可能であるため、輝度を大きく低下させる（例えば５０％低下させる）ようにする。
【００６２】
また、表示部２６の輝度を低くする場合、例えば、段階的に低くしてもよい。例えば、最終的に低下させる輝度まで、１０秒毎に３段階で徐々に輝度を低下させるようにする。なお、輝度は最終的に低下させる輝度まで段階的ではなく直截的に低くしてもよい。
【００６３】
また、テレビジョン受像機２０が周囲の明るさを検出する照度センサーを備えていれば、表示部２６の輝度を低くする場合、照度センサーの検出値に基づいて輝度を決定することができる。例えば、昼間や室内照明が点灯していて周囲が明るい場合は輝度を低くしすぎると見づらくなるため、輝度を少し低下させる（例えば現状から１０％低下させる）ようにする。一方、夜間に室内照明が消灯していて周囲が暗い場合は輝度を低くしても視聴可能であるため、輝度を大きく低下させる（例えば５０％低下させる）ようにする。
【００６４】
ステップＳ１２からはステップＳ１３へ進んで、制御部３３はスピーカー２７をミュートにするように制御する。続いてステップＳ１４へ進んで、制御部３３はヘッドホンへ出力する音量を調整するように制御する。具体的には、スピーカー２７向けの音量をヘッドホン向けの音量に調整する。例えば、現状の音量を低下させる（例えば２０％低下させる）ようにする。その後、ステップＳ１４からステップＳ１５へ進んで制御部３３は音声をヘッドホンへ出力するように制御する。
【００６５】
このように、ヘッドホンがフォーン端子２８に接続された場合、表示部２６の出画範囲７１を縮小することにより、画面に何も表示されていない部分（黒色部分）７２が生じるので、出画による光の出力が低減される（図４参照）。したがって、周囲への光の影響を低減することができる。これは、寝室などで視聴する場合に周囲の睡眠中の人が眩しくないようにするのに有効である。また、ヘッドホンが使用される状況では配線が短いなどの理由で視聴距離が通常よりも短くなることが多いため、その場合、表示部２６の出画範囲７１を縮小することで視野に対して画面が大きすぎる状態を解消することができる。
【００６６】
また、ヘッドホンがフォーン端子２８に接続された場合、表示部２６の輝度を低下させることにより、周囲への光の影響をさらに低減することができる。また、ヘッドホンがフォーン端子２８に接続された場合、スピーカー２７をミュートにすることにより、周囲への音の影響をなくすことができる。また、ヘッドホンがフォーン端子２８に接続された場合、ヘッドホンへ出力する音量を調整することにより、ユーザーは手動で音量調整する必要がなく、快適にヘッドホンを使用することができる。
【００６７】
なお、ステップＳ１２、Ｓ１３、Ｓ１４は必須ではなく、何れか１つ以上のステップを省略してもよい。
【００６８】
次に、ヘッドホンがフォーン端子２８から外れた場合について説明する。図５は、テレビジョン受像機２０の動作を示すフローチャートである。ここでは、図５は図３のステップＳ１５に続くものとして説明する。
【００６９】
ユーザーが意図したか否かに関わらず、ヘッドホンがフォーン端子２８から外れると、ステップＳ２０において制御部３３はフォーン端子２８へ接続されていないことを検知する。ステップＳ２０からはステップＳ２１へ進んで制御部３３はヘッドホンがフォーン端子２８に再度接続されたか否かを判別する。
【００７０】
ステップＳ２１においてヘッドホンが再度接続された場合はステップＳ２０に戻る。つまり、ヘッドホンが接続されているときの状態を維持する。一方、ステップＳ２１においてヘッドホンが再度接続されていない場合は、ステップＳ２２へ進んで、制御部３３はヘッドホンが外れてから所定時間経過したか否かを判別する。所定時間は、メニュー画面等からユーザーが設定できるようにしてもよいし、製造時に指定しておいてもよい。なお、所定時間はユーザーが意図せずにヘッドホンが外れた場合に再度接続されるまでに要する時間以上であることが好ましく、例えば、１０秒とすることができる。
【００７１】
ステップＳ２２において所定時間経過していない場合は、ステップＳ２１に戻る。一方、ステップＳ２２において所定時間経過した場合は、ステップＳ２３へ進んで制御部３３はヘッドホンがフォーン端子２８に接続されていない状態（たとえば、接続される直前の状態）に戻すように制御する。つまり、表示部２６の出画範囲７１及び輝度をヘッドホンが接続されていない状態に戻し、ヘッドホンが接続されていない状態の音量でスピーカー２７から出力する。
【００７２】
なお、ステップＳ２３において表示部２６の輝度を戻す場合には、例えば、段階的に高くしてもよい。例えば、最終的に上昇させる輝度まで、１０秒毎に３段階で徐々に輝度を上昇させるようにする。なお、輝度は最終的に上昇させる輝度まで段階的ではなく直截的に高くしてもよい。
【００７３】
なお、ヘッドホンが耳への装着状態を検出する装着検出センサーを備えていれば、装着センサーでの検出結果を利用してもよい。つまり、ステップＳ２０における判別は、装着検出センサーが耳から外れたことを検出した場合とし、ステップＳ２１における判別は、装着検出センサーが再度耳へ装着されたことを検出した場合としてもよい。このような装着検出センサーは、ヘッドホンが無線接続される場合に特に有効である。
【００７４】
このように、ヘッドホンがフォーン端子２８から外れた場合、直ぐにヘッドホンが接続されていない状態に戻すことなく現状の映像音声出力状態を維持する。これにより、ユーザーが意図せずにヘッドホンが外れた場合に再度接続するまでに接続されていない状態に戻ってしまうことを防止できる。従って、ユーザーは意図せずにヘッドホンが外れた場合でも速やかにヘッドホンを接続することにより、周囲へ迷惑をかけることがない。
【００７５】
なお、ステップＳ２２の処理に変えて、ヘッドホンが接続されていない状態（たとえば、接続される直前の状態）に戻すか否かをユーザーが選択できるようなＯＳＤを出力し、ユーザーの選択結果にしたがって処理するようにしてもよい。
【００７６】
なお、上記の実施形態以外でも、ヘッドホンがＨＤＤ一体型光ディスク装置４０のフォーン端子４７に接続される場合も同様の作用効果が得られる。例えば、ヘッドホンの挿抜に応じてＨＤＤ一体型光ディスク装置４０が上述したテレビジョン受像機２０の動作に準じた動作を実行する場合である。この場合、テレビ放送の受信中だけでなくコンテンツの再生中にも適用できる。
【００７７】
なお、上記のＨＤＤ一体型光ディスク装置４０が接続されていない上記のテレビジョン受像機２０のみの形態でも同様の作用効果が得られる。また、上記のＨＤＤ一体型光ディスク装置４０と他のテレビジョン受像機とを組み合わせた形態でも同様の作用効果が得られる。
【００７８】
なお、テレビジョン受像機２０からＨＤＤ一体型光ディスク装置４０へフォーン端子２８の接続状況を送信できる場合、上述した動作を実行することができる。例えば、両者がＨＤＭＩ接続されているような場合、ＨＤＤ一体型光ディスク装置４０はテレビジョン受像機２０のフォーン端子２８にヘッドホンが挿抜される場合にも上述した動作を実行することができる。
【００７９】
次に、記録媒体に記録された映像及び音声を再生する再生部（図２では、ＨＤＤ記録再生部４３、又は、ＢＤ／ＤＶＤ記録再生部４４）を備えた映像音声出力装置に適用可能な動作について説明する。この装置には、放送中の番組を一定時間分だけ録画しながら出力する、いわゆる追っかけ再生機能を有する装置も含む。以下では音声出力先の機器としてヘッドホンを用い、ヘッドホンがＨＤＤ一体型光ディスク装置４０のフォーン端子４７に接続される場合を例に説明する。
【００８０】
ＨＤＤ記録再生部４３又はＢＤ／ＤＶＤ記録再生部４４で再生しているコンテンツを表示部２６及びスピーカー２７に出力している状態において、フォーン端子４７にヘッドホンが接続されると、ＨＤＤ一体型光ディスク装置４０が図３と同様の処理を実行する。そして、ヘッドホンがフォーン端子４７から外れた場合について図６を用いて説明する。図６は、ＨＤＤ一体型光ディスク装置４０が図３と同様の処理を実行したときのステップＳ１５に続く動作であり、ＨＤＤ一体型光ディスク装置４０の動作を示すフローチャートである。
【００８１】
ユーザーが意図したか否かに関わらず、ヘッドホンがフォーン端子４７から外れると、ステップＳ３０において制御部５２はフォーン端子４７へ接続されていないことを検知する。ステップＳ３０からはステップＳ３１へ進んで制御部５２はコンテンツの再生を停止するように制御する。
【００８２】
ステップＳ３１からはステップＳ３２へ進んで制御部５２はヘッドホンがフォーン端子４７に再度接続されたか否かを判別する。ステップＳ３２においてヘッドホンが再度接続された場合はステップＳ３３へ進んでヘッドホンが接続されているときの状態を維持しながら停止した位置から再生を再開する。一方、ステップＳ３２においてヘッドホンが再度接続されていない場合は、ステップＳ３４へ進んで、制御部５２はヘッドホンが外れてから設定時間経過したか否かを判別する。設定時間は、メニュー画面等からユーザーが設定できるようにしてもよいし、製造時に指定しておいてもよい。なお、設定時間はユーザーが意図せずにヘッドホンが外れた場合に再度接続されるまでに要する時間以上であることが好ましく、例えば、１０秒とすることができる。
【００８３】
ステップＳ３４において設定時間経過していない場合は、ステップＳ３２に戻る。一方、ステップＳ３４において設定時間経過した場合は、ステップＳ３５へ進んで制御部５２は再生を停止したまま、ヘッドホンがフォーン端子４７に接続されていない状態（たとえば、接続される直前の状態）に戻すように制御する。つまり、表示部２６の出画範囲７１及び輝度をヘッドホンが接続されていない状態に戻し、ヘッドホンが接続されていない状態での音量でスピーカー２７から出力する。このとき出力するコンテンツは、例えば最後に選局されたチャンネルとすることができる。
【００８４】
なお、ヘッドホンが耳への装着状態を検出する装着検出センサーを備えていれば、装着センサーでの検出結果を利用してもよい。つまり、ステップＳ３０における判別は、装着検出センサーが耳から外れたことを検出した場合とし、ステップＳ３２における判別は、装着検出センサーが再度耳へ装着されたことを検出した場合としてもよい。
【００８５】
このように、ヘッドホンがフォーン端子４７から外れた場合、再生を停止することにより、ユーザーが意図せずにヘッドホンが外れた場合に、ユーザーは手動で再生を停止させる必要がない。また、ユーザーは意図せずにヘッドホンが外れた場合でも速やかにヘッドホンを接続することにより停止した位置から再生が再開されるので、速やかに続きから視聴でき使い勝手が良い。
【００８６】
なお、ステップＳ３５では、再生を停止したままにするか、再生を再開するかをユーザーが選択できるようにしてもよい。また、予めメニュー画面等から再生を停止したままにするか、再生を再開するかを設定できるようにしてもよい。
【００８７】
なお、上記の実施形態以外でも、上記のＨＤＤ一体型光ディスク装置４０と他のテレビジョン受像機とを組み合わせた形態でも同様の作用効果が得られる。
【００８８】
なお、テレビジョン受像機２０からＨＤＤ一体型光ディスク装置４０へフォーン端子２８の接続状況を送信できる場合、上述した動作を実行することができる。例えば、両者がＨＤＭＩ接続されているような場合は、ＨＤＤ一体型光ディスク装置４０は、テレビジョン受像機２０のフォーン端子２８にヘッドホンが挿抜される場合にも上述した動作を実行することができる。
【００８９】
上記の実施形態では、映像音声出力装置としてテレビジョン受像機２０及びＨＤＤ一体型光ディスク装置４０を例に説明したが、本発明はそれらの例に限定されることはない。例えば、光ディスク装置等の再生装置や録画再生装置、ハードディスクレコーダー等の録画再生装置、セットトップボックス、コンピューターのディスプレイ、これらのうちの複数の装置を１つの筐体に組み込んだ複合機にも利用することができる。
【符号の説明】
【００９０】
２０  テレビジョン受像機（映像音声出力装置）
２４  映像出力部
２５、４６  音声出力部
２６  表示部
２７  スピーカー
２８、４７  フォーン端子
３３、５２  制御部
４０  ＨＤＤ一体型光ディスク装置（映像音声出力装置）
７１  出画範囲
【図１】
2014160946.tif 000003
【図２】
2014160946.tif 000004
【図３】
2014160946.tif 000005
【図４】
2014160946.tif 000006
【図５】
2014160946.tif 000007
【図６】
2014160946.tif 000008